(57)【要約】【課題】見出し片の紛失を防止できるポケット部を提供する。【解決手段】少なくとも一部が透視可能な外面部6にてポケット本体5を形成する。この外面部6の透視可能な部分の内面側に、見出し片が収容可能な見出し片収容部12を形成する。この見出し片収容部12に、ポケット本体5の内側へ向かって開口した見出し片収容開口部を形成する。外面部6の内面側に見出し片収容部12を形成し、見出し片収容開口部13をポケット本体5の内側へ向かって開口するので、見出し片が脱落してもポケット部1内に脱落し、見出し片の紛失を防止できる。さらに、外面部6に、折返線と外面部6に一体的な折返片とを設ける。見出し片収容部12は、折返片を折返線にて外面部6の内面側へ折り返し、この折返片の折返線と対向する端部を除く端部を外面部6の内面側に接合するだけで容易に形成できる。【選択図】図１
2009248347.tif 000002
【特許請求の範囲】
【請求項１】
開口部を有するポケット部が設けられたファイルであって、
前記ポケット部は、
少なくとも一部が外部から透視可能な透視可能部を有する外面部と、
前記透視可能部の前記ポケット部内面側の一部または全部に沿って形成され見出し片が収容される見出し片収容部とを具備し、
前記見出し片収容部は、前記ポケット部の内側に向かって開口された見出し片収容開口部が設けられている
ことを特徴とするファイル。
【請求項２】
外面部は、外部に露出された部分の少なくとも一部に設けられた透視可能部と、前記外面部に一体的に設けられポケット部の内側へ折り返された折返片とを有し、
見出し片収容部は、前記外面部と前記折返片とにより形成され
見出し片収容開口部は、前記折返片の折返片部分とは反対側へのみ開口している
ことを特徴とする請求項１のファイル。
【請求項３】
ポケット部は、開口部を閉じた状態を保持するための開口部開閉機構を有している
ことを特徴とする請求項１または２記載のファイル。
【請求項４】
開口部を有するポケット部が設けられたファイルであって、
前記ポケット部は、
前記開口部を開閉自在であり前記開口部を閉じた状態では外部に露出する蓋部と、
この蓋部に設けられ少なくとも一部が外部から透視可能な透視可能部と、前記蓋部にて前記開口部を閉じた際に前記透視可能部の内面側に沿って形成され見出し片が収容される見出し片収容部とを具備し、
前記見出し片収容部は、前記蓋部の基端部側へ向かって開口された見出し片収容開口部が設けられ、
前記蓋部には、係合部材が設けられ、前記蓋部にて前記開口部を閉じた際に前記係合部材に対向する位置には、前記係合部材と係合可能な被係合部材が設けられている
ことを特徴とするファイル。
【請求項５】
蓋部は、この蓋部に一体的に設けられ前記蓋部にて開口部を閉じた際に内側となる方向へ折り返された折返片を有し、
見出し片収容部は、前記蓋部と前記折返片により形成されされ、
見出し片収容開口部は、前記折返片の折返片分とは反対側へのみ開口している
ことを特徴とする請求項４記載のファイル。
【請求項６】
見出し片収容部は、二部材を重ね合わせた状態において見出し片収容開口部以外の一部または全部が溶着されて形成されている
ことを特徴とする請求項１ないし５のいずれか記載のファイル。
【請求項７】
見出し片収容部は、二部材を重ね合わせた状態において見出し片収容開口部以外の一部または全部が縫着されて形成されている
ことを特徴とする請求項１ないし５のいずれか記載のファイル。
【請求項８】
ポケット部は、底面部とこの底面部に対して立ち上り可能な隣接する複数の外面部とを有し、これら複数の外面部の隣接する辺が接続されてポケット空間が構成され、各外面部の前記底面部とは反対側の先端辺によって開口部が構成され、
前記ポケット部は、各外面部が前記底面部から離間する方向へ立ち上り前記開口部が開口した開口状態から、前記各外面部が前記底面部に略平行であり前記開口部が閉塞した閉塞状態へ変化可能に構成され、
前記ポケット部の閉塞状態において最も外面側に位置する外面部には、閉塞状態において内面側に位置する見出し片収容部と、この見出し片収容部より内側に位置する係合部材がと設けられ、
前記ポケット部の閉塞状態において前記係合部材に対向する位置には、被係合部材が設けられている
ことを特徴とする請求項１または２記載のファイル。
【発明の詳細な説明】
【技術分野】
【０００１】
本発明は、被収納物に関するメモ等の見出し片を収容でき、被収納物を管理し易いポケット部を有するファイルに関する。
【背景技術】
【０００２】
従来、この種のポケット部は、例えばファイルやファイル用シート等に設けられ、カード、書類、付属部品、付属工具、鍵、アクセサリ等の被収納物を収納するものである。
【０００３】
このようなポケット部が設けられたものとして、ファイル用シート本体と、このシート本体に設けられ開口部を有するポケット部と、このポケット部の前記開口部を覆う蓋体とを備え、この蓋体に係合スリットが形成され、前記ポケット部の外側面に前記係合スリットと係合可能な係合片が形成された構成のものが知られている（例えば、特許文献１参照。）。
【０００４】
特許文献１のような構成のものでは、複数種類の被収納物を収納ポケット部毎に整理して収納できるが、形状が類似した被収納物を前記ポケット部毎に収納すると、被収納物が判別し難く、被収納物を管理し難い。
【０００５】
そこで、複数種類の被収納物を管理し易いものとしては、基シートと、この基シートに透明なフィルムを重合するとともにこのフィルムに切り込み部と溶着部とを設けて形成された複数のポケット部とを備え、前記ポケット部内にこのポケット部の上下幅寸法よりも小さな上下幅に設定された例えば被収納物に関するメモ等の見出し片を収容し、この見出し片の一部が反綴じ込み側縁から突出可能に設けられた構成のものが知られている（例えば、特許文献２参照。）。
【特許文献１】意匠登録第１２０３７７３号公報（第２−７頁）
【特許文献２】特開平９−７１０７６号公報（第２−４頁、図１）
【発明の開示】
【発明が解決しようとする課題】
【０００６】
特許文献２に開示された構成では、前記見出し片の挿入や脱出が容易にできるように構成されている。
【０００７】
この特許文献２に開示された構成をはじめとする従来のポケット部における見出し構造では、基シートに例えば透明または半透明の合成樹脂製等のフィルムが、少なくとも一方向へ開口するように接合されて、前記基シートと前記フィルムとの間の隙間にて前記見出し片を収容する空間が形成される。ここで、一般に前記見出し片は、例えば文字や数字、記号等が書き込み可能な紙片等であるので、上記のような構造で前記見出し片を保持できる。
【０００８】
しかしながら、上記したような従来のポケット部における見出し構造では、前記見出し片の出し入れ口である開口部が常時外部に露出しているため、前記ポケット部の外部へ前記見出し片が脱落すると、前記見出し片を紛失してしまうという問題が指摘される。
【０００９】
すなわち、従来の構造では、前記見出し片が前記ポケット部のいずれかに係合している訳ではなく、前記基シートとフィルムとの間に前記見出し片が挿入されているだけであるので、常時外部に露出した前記開口部から前記見出し片が脱落し、紛失するおそれがある。また、このような問題は、製造不良や設計不良によっても生じるが、精密に設計され正確に製造されたものであっても、前記ポケット部が使い込まれると、前記基シートまたは前記フィルムが変形してこれら基シートとフィルムとが離間し易くなる。そのため、前記見出し片が脱落し易くなり、前記ファイルの外部へ脱落して紛失する可能性が高くなってしまう。さらに、前記基シートまたは前記フィルムの一部を折り返し、その折り返した部分の一部を接合して前記見出し片を収納する空間を形成する構成では、折り返された前記基シートまたはフィルムの復原力により、折り返される前の状態に戻ろうとして空間が広がり易くなる。そのため、前記見出し片が脱落し易くなり、前記ファイルの外部へ脱落して紛失する可能性が高くなってしまう。
【００１０】
そして、特許文献２に開示されたように、見出し片として段部や切除部、幅狭部が形成された特殊な形状のものが用い、この見出し片が前記ポケット部の内部で係合するように構成することにより、前記見出し片の脱落を防止できるが、このように特殊な形状の見出し片を用意する必要があり、一般的に用いられる矩形状の見出し片を用いると脱落を防止できない。
【００１１】
そこで、（Ａ）前記開口部を覆うように塞ぐ蓋部材を設けたり、（Ｂ）前記開口部に逆止弁部材を設けたり、（Ｃ）前記開口部を狭くしたりすることにより前記見出し片の脱落を防止するという対策が考えられる。しかし、（Ａ），（Ｂ）では、前記蓋部材や前記逆止弁部材等の別部材を設ける必要があり、製造工数が増え、製造し難くなる。（Ｃ）では、前記見出し片の出し入れがし難くなり、また、前記見出し片を出し入れする際に前記見出し片が前記開口部に引っ掛り折れ曲がってしまうおそれがある。さらに、いずれの構成でも、脱落を防止する機構が破損してしまうと、前記見出し片がファイルの外部へ脱落し紛失してしまうおそれがある。
【００１２】
本発明はこのような点に鑑みなされたもので、見出し片の紛失を防止できるファイルを提供する。
【課題を解決するための手段】
【００１３】
本発明に係るファイルは、開口部を有するポケット部が設けられたファイルであって、前記ポケット部は、少なくとも一部が外部から透視可能な透視可能部を有する外面部と、前記透視可能部の前記ポケット部内面側の一部または全部に沿って形成され見出し片が収容される見出し片収容部とを具備し、前記見出し片収容部は、前記ポケット部の内側に向かって開口された見出し片収容開口部が設けられているものである。
【００１４】
または、開口部を有するポケット部が設けられたファイルであって、前記ポケット部は、前記開口部を開閉自在であり前記開口部を閉じた状態では外部に露出する蓋部と、この蓋部に設けられ少なくとも一部が外部から透視可能な透視可能部と、前記蓋部にて前記開口部を閉じた際に前記透視可能部の内面側に沿って形成され見出し片が収容される見出し片収容部とを具備し、前記見出し片収容部は、前記蓋部の基端部側へ向かって開口された見出し片収容開口部が設けられ、前記蓋部には、係合部材が設けられ、前記蓋部にて前記開口部を閉じた際に前記係合部材に対向する位置には、前記係合部材と係合可能な被係合部材が設けられているものである。
【発明の効果】
【００１５】
上記の構成によれば、見出し片が見出し片収容部から脱落してしまっても、ポケット部の内部にて脱落した前記見出し片を保持できるので、見出し片の紛失を防止できる新規のファイルを提供できる。
【発明を実施するための最良の形態】
【００１６】
以下、本発明の一実施の形態の構成について図１ないし図４を参照しながら詳細に説明する。
【００１７】
図１には、ポケット部1が設けられたファイル2が示されている。このファイル2は、例えば合成樹脂等にて形成されたファイル本体3を有し、このファイル本体3にポケット部1が例えば溶着等にて固着して取付けられている。
【００１８】
図２に示されるように、ポケット部1は、ポケット本体5と、このポケット本体5を形成する外面部6と底面部4とを備えている。
【００１９】
ポケット本体5は、複数、例えば四つの隣接した外面部6にて形成され、これら複数の外面部6は、隣接した辺に結合部7が設けられ、この結合部7を例えば溶着等により接続することにて隣接する外面部6の辺が接続される。そして、隣接する辺が接続された複数の外面部6により、ポケット空間が構成され、各外面部6の底面部4とは反対側の先端辺にてポケット本体5の開口部8が形成される。
【００２０】
また、ポケット本体5は、外面部6がファイル本体3の底面部4から離間する方向へ立ち上り開口部8が開口した開口状態から、外面部6が底面部4に略平行であり開口部8が閉塞した閉塞状態へ変形可能である。ここで、外面部6は、底面部4に対して直角な状態または底面部4に対して直角より底面部4側に傾斜した状態と、底面部4と略平行な状態との間で変化可能に構成されると好ましい。
【００２１】
複数の外面部6のうち、ポケット本体5の閉塞状態において最も外面側に位置する外面部6には、開口部8を閉塞自在な蓋部20が設けられている。この蓋部20は、蓋部20にて開口部8を閉じた状態では外部に露出し、係合部材としての面ファスナのフック部材9が設けられている。また、ポケット本体5の閉塞状態において他の外面部6のフック部材9に対向する位置には、被係合部材としての面ファスナのループ部材10が設けられている。これらフック部材9とループ部材10とを係合することによりポケット部1の閉塞状態を保持する。
【００２２】
また、ポケット本体5は例えば合成樹脂等により形成され、複数の外面部6のうち、ポケット本体5の閉塞状態で最も外側に位置する外面部6の蓋部20は、少なくとも一部が外部から透視可能な透視可能部11が形成されている。さらに、ポケット部1が閉塞状態の際に、透視可能部11の内面側には、図示しない見出し片が収容可能な略台形状の見出し片収容部12が形成されている。この見出し片収容部12に収容される見出し片は、例えばポケット部1内の被収納物に関するメモや記号、目印等を書き込み可能な紙片等である。
【００２３】
見出し片収容部12は、蓋部20にて開口部8を閉じた際に透視可能部11の内面側の一部または全部に沿って形成され、蓋部20の基端部へ向かって開口された見出し片収容開口部13が設けられている。
【００２４】
ここで、外部に露出された部分の少なくとも一部に透視可能部11が形成された蓋部20は、図３に示されるように、折返線14と、外面部6に一体的に設けられ折返線14より先端側に位置する折返片15とを有している。この折返片15は、折返線14によって蓋部20にて開口部8を閉じた際に内側となる方向へ折り返されている。折り返された折返片15は、両端部すなわち折返片15における折返線14と対向する端部を除く二つの端部が、外面部6の内面側に例えば溶着等により接合されて接合部16が形成される。そして、この接合部16の形成により外面部6と折返片15との間に空間が形成され、この空間が見出し片収容部12となる。また、この見出し片収容部12は、見出し片収容開口部13が折返片15の折返部分である折返線14とは反対側へのみ開口している。
【００２５】
なお、折返片15を折返線14にて折り返し形成される構成とすることにより、容易に形成できるので好ましいが、このような構成だけでなく、例えば、外面部6とは別個の部材を用いて、二部材を重ね合わせた状態にて見出し片収容開口部13以外の一部または全部を接合し、外面部6の内面側に見出し片収容部12を形成する構成等でもよい。また、別個の部材を接合する場合は、見出し片収容部12を形成する場所は、外面部6の底面部4の反対側の先端部に限定されず、外面部6の内面側で見出し片収容開口部13が内側に向かって開口されていればよい。さらに、二部材を接合は、溶着や縫着にて接合される。
【００２６】
見出し片収容部12が設けられた外面部6には、見出し片収容部12よりポケット本体5の内側に位置してフック部材9が設けられ、ポケット本体5の閉塞状態において他の外面部6のフック部材9と対向する位置には、ループ部材10が設けられている。また、これらフック部材9とループ部材10とを係合させると、係合した状態のフック部材9とループ部材10とが見出し片収容部12より内側すなわち底面部4側に位置する。
【００２７】
なお上記の実施の形態では、ポケット部1に蓋部20を設け、蓋部20に見出し片収容部12を形成した構成としたが、このような構成には限定されず、蓋部20を設けない構成としてもよい。この構成の場合は、外面部6の少なくとも一部に透視可能部11が形成され、この透視可能部11のポケット部1内面側の一部または全部に沿って見出し片収容部12が設けられる。また、見出し片収容開口部13は、ポケット部1の内側に向かって開口される。さらに、折返片15を用いて見出し片収容部12を形成する際には、折返片15は、外面部6に一体的に設けられ、折返線14にてポケット部1の内側へ折り返される。そして、外面部6と折返片15によって見出し片収容部12が形成される。
【００２８】
ファイル2にポケット部1を設ける構成としたが、このような構成には限定されず、例えばファイル用シートにポケット部1を設ける構成等でもよい。また、ポケット部1が例えばファイル2やファイル用シート等に設ける構成には限定されず、ポケット部1の構成は、ポケット本体5の外面部6の少なくとも一部を透明に形成できるものであれば、例えばコインケースや小物入れ等にも適用できる。さらに、ポケット部1をファイル2に設ける場合は、例えば溶着等によりファイル2にポケット部1を固着して取り付ける構成には限定されず、ポケット部1がファイル2に一体的に形成された構成やポケット部1を面ファスナ等によりファイル2に着脱自在に取り付ける構成等でもよい。
【００２９】
ポケット本体5は、複数の隣接した外面部6により形成される構成や外面部6が立ち上ることにより開口部8が開口される構成等には限定されず、一つの外面部6により形成される構成等でもよく、例えば、図４に示される従来のファイル用シート18の構成にも適用できる。このファイル用シート18は、シート本体19に一つの外面部6が接合されてポケット部1を形成している。そして、外面部6の内面側に見出し片収容部12が形成されている。さらに、このような構成の場合には、ポケット部1の開口部8を閉じた状態を保持するための図示しない開口部開閉機構が設けられてもよい。この開口部開閉機構は例えば面ファスナ等にて形成される。
【００３０】
また、複数の外面部6によりポケット本体5を形成する場合は、閉塞状態にて最も外側に位置する外面部6のみ、少なくとも一部が透視可能に形成される構成には限定されず、他の外面部6も透視可能に形成してもよい。さらに、透視可能な外面部6は、透視可能な部分の内側に見出し片収容部12が形成されていれば、外面部6の一部のみを透視可能に形成する構成には限定されず、外面部6全体を透視可能にしてもよい。
【００３１】
さらに、見出し片収容部12が略台形状の構成としたが、一般的に見出し片は矩形状であるので、見出し片収容部12を台形状や矩形状に形成することにより、見出し片が収容し易いので好ましいが、このような構成には限定されない。見出し片収容部12の形状は、適宜設定できる。
【００３２】
また、外面部6において、見出し片収容部12より内側に位置してフック部材9が設けられることには限定されず、例えばフック部材9が見出しポケットより外側に位置した構成やフック部材9やループ部材10等の係合手段を設けない構成等でもよい。さらに、係合手段を設ける場合は、係合部材として面ファスナのフック部材9を設け、被係合部材として面ファスナのループ部材10を設ける構成には限定されず、係合部材と被係合部材との係合によりポケット本体5の閉塞状態を保持できればよい。
【００３３】
次に、上記一実施の形態の作用を説明する。
【００３４】
ポケット部1の見出し片収容部12への見出し片の収容に際しては、まず、ポケット部1のフック部材9とループ部材10の係合を解除し、ポケット部1のポケット本体5を開口状態にする。
【００３５】
外面部6または蓋部20の内面側に位置する見出し片収容部12に見出し片収容開口部13から見出し片を挿入して収容する。
【００３６】
ポケット部1を閉塞状態にし、フック部材9とループ部材10とを係合して閉塞状態を保持する。
【００３７】
このように見出し片を見出し片収容部12に収容したファイル2では、外面部6または蓋部20の少なくとも一部が透視可能な透視可能部11が形成され、透視可能部11内面側に見出し片収容部12が形成されているので、ポケット部1が閉塞状態であっても、見出し片を外部から透視できる。したがって、見出し片を透視することにより、容易に被収納物の情報が得られるので、ポケット部1内の被収納物を管理し易い。
【００３８】
そして、ポケット部1は、外面部6または蓋部20の内面側に形成された見出し片収容部12を具備し、この見出し片収容部12は、ポケット部1の内側であり蓋部20の気端部に向かって開口された見出し片収容開口部13を有しているので、見出し片収容部12に収容された見出し片が見出し片収容部12から脱落した場合であっても、その脱落した見出し片は、ポケット本体5内に脱落する。したがって、脱落した見出し片をポケット本体5内にて保持できるので、ポケット本体5外への脱落による見出し片の紛失を防止できる。
【００３９】
また、蓋部20が設けられ、さらにフック部材9とループ部材10とが設けられたことにより、蓋部20により開口部8を覆い、さらに、フック部材9とループ部材10との係合によりポケット部1の閉塞状態を保持できる。したがって、見出し片が見出し片収容部12からポケット部1内へ脱落し場合であっても、ポケット部1からポケット部1外へ移動し難い。
【００４０】
蓋部20を設けず外面部6に見出し片収容部12を形成する場合は、見出し片収容部12からポケット部1内へ見出し片が脱落し、さらにポケット部1から外部へ見出し片が移動しようとしても、見出し片収容部12の見出し片収容開口部が逆止弁のような機能を果たし、ポケット部1外への見出し片の脱落を抑制できる。
【００４１】
したがって、見出し片を紛失する危険性を極めて小さなものにできる。
【００４２】
特に、ファイル2に複数のポケット部1を設け、各ポケット部1に例えば薬のように外観だけでは判別し難い複数種類の被収納物を区別して収納する場合等では、見出し片が紛失してしまうと、被収納物の判別が事実上不可能になってしまうので効果的である。また、被収納物として、ねじやボルト、ビス等の部品のように測定機器等があれば測定して判別できるものを収納した場合では、例えば見出し片が紛失し、測定機器等が手元にないと、被収納物の中から実際に螺着する等にて所望のものを探し出す必要があり、手間がかかる。測定機器等や実際に螺着する等により形状にて判別したとしても、部品は、その素材により耐久性等の機械的性質が異なるので、形状が等しく素材が異なるものの判別は見出し片がないと事実上不可能になってしまう。そこで、本実施の形態に係るポケット部1が設けられたファイル2によれば、見出し片を紛失する可能性が極めて低くできるので、このような判別し難い複数種類の被収納物を区別して収納して、確実に管理できる。
【００４３】
また、ポケット部1は、外面部6にてポケット本体5を形成し、外面部6または蓋部20の内面側に見出し片が収納可能な見出し片収容部12を形成するだけであるので、容易に製造できる。
【００４４】
さらに、外面部6または蓋部20が、外面部6または蓋部20に一体的に設けられた折返片15とを有していると、見出し片収容部12の形成に際しては、折返片15を折返線14によってポケット部1の内側すなわち蓋部20にて開口部8を閉じた状態における内面側へ折り返す。そして、この折返片15の両端部すなわち折返線14と対向する端部を除く二つの端部を外面部6の内面側に接合して接合部16を形成するだけで、見出し片収容部12を形成できるので、より容易に製造できる。
【００４５】
ここで、このように形成された見出し片収容部12は、折返線14にて折曲された折返片15の復原力により折返片15の先端が外面部6から離間し易い傾向にあり、見出し片が脱落し易いにも関わらず、見出し片収容開口部13がポケット本体5の内側であり蓋部20の基端部側へ向かって開口されていることにより、見出し片が脱落した場合であっても、ポケット本体5内に脱落するので、ポケット本体5外へ脱落してしまう可能性が極めて低い。
【００４６】
一方、見出し片収容部12を二部材にて形成することにより、一部材を折り返して形成した場合と比較して、両部材が極めて接近した状態となる。したがって、このように両部材が接近した状態の見出し片収容部12の収容空間に見出し片が挟み込まれれば、見出し片を良好に保持でき、見出し片収容部12からの見出し片の脱落を防止できるので、より見出し片を紛失する危険性を低くできる。
【００４７】
蓋体20を設けず、外面部6に見出し片収容部12を形成した場合は、ポケット部1の見出し片収容部12から開口部8に至る経路に開口部開閉機構を設けることにより、この開口部開閉機構にて開口部8が閉塞した状態を保持できるので、見出し片がポケット部1外へ脱落し難く、紛失し難い。
【００４８】
ポケット本体5は、底面部4とこの底面部4に対して立ち上り可能な隣接する複数の外面部6とを有し、ポケット本体5の閉塞状態において最も外面側に位置する外面部6には、見出し片収容部12が設けられていることにより、見出し片が見出し片収容部12から脱落してしまった場合であっても、見出し片収容部12が設けられた外面部6だけでなく、他の外面部6によっても脱落した見出し片を保持でき、ポケット本体5内へ脱落し易いので、見出し片がポケット本体5の外部へ脱落する可能性が極めて低い。
【００４９】
また、ポケット本体5は、外面部6が底面部4から離間して開口部8が開口した開口状態から、外面部6が底面部4と略水平であり開口部8が閉塞した閉塞状態へ変化可能であるので、例えば薬や部品等の比較的小さい被収納物を収納しても、被収納部物が取り出し易くかつポケット本体5から脱落し難い。
【００５０】
蓋部20には、見出し片収容部12より内側に位置してフック部材9が設けられ、ポケット本体5の閉塞状態においてフック部材9と対向する位置には、ループ部材10が設けられていることにより、見出し片収容部12より内側すなわち底面部4側にてフック部材9とループ部材10とを係合できる。したがって、これらフック部材9とループ部材10とによって見出し片収容部12に収容された見出し片を遮ることがないので、ポケット本体5の外部から見出し片を確実に確認できる。また、逆に、ポケット本体5の閉塞状態において、見出し片によりフック部材9およびループ部材10を外部から視認できない状態にできるので、デザイン性を向上できる。
【図面の簡単な説明】
【００５１】
【図１】本発明のファイルにおける一実施の形態を示す平面図である。
【図２】同上ファイルのポケット部の斜視図である。
【図３】同上ファイルのポケット部の断面図である。
【図４】本発明のポケット部の他の実施の形態を示す平面図である。
【符号の説明】
【００５２】
1    ポケット部
2    ファイル
4    底面部
6    外面部
8    開口部
9    係合部材としてのフック部材
10    被係合部材としてのループ部材
11    透視可能部
12    見出し片収容部
13    見出し片収容開口部
15    折返片
20    蓋部
【図１】
2009248347.tif 000003
【図２】
2009248347.tif 000004
【図３】
2009248347.tif 000005
【図４】
2009248347.tif 000006